(57)【要約】【課題】発注者自らが壁飾りのデザインをすることができると共に、誤って不要な基本パーツを発注することがなく、さらには取付不可能なデザインに基づき基本パーツを発注することのない壁飾り受注システム等を提供する。【解決手段】１種以上の基本パーツＰを複数個組み合わせて形成される壁飾りの受注システムであって、全ての種の基本パーツＰの形態を記憶する基本パーツ記憶部１４と、基本パーツ記憶部１４に記憶された基本パーツＰを組み合わせて形成された壁飾りのデザインを入力する壁飾りデザイン入力部２１と、壁飾りデザイン入力部２１に入力されたデザインに基づき基本パーツＰの種類及びその個数を抽出する基本パーツ抽出部２２と、基本パーツ抽出部２２により抽出された基本パーツＰの種類及びその個数を受注処理する基本パーツ受注処理部２４とを備える。【選択図】図５
2005078447.tif 000002
【特許請求の範囲】
【請求項１】
１種以上の基本パーツを複数個組み合わせて形成される壁飾りの受注システムであって、
全ての種の前記基本パーツの形態を記憶する基本パーツ記憶手段と、
前記基本パーツ記憶手段に記憶された前記基本パーツを組み合わせて形成された前記壁飾りのデザインを入力する壁飾りデザイン入力手段と、
前記壁飾りデザイン入力手段に入力された前記デザインに基づき種毎の前記基本パーツ及び種毎の前記基本パーツの個数を抽出する基本パーツ抽出手段と、
前記基本パーツ抽出手段により抽出された種毎の前記基本パーツ及び種毎の前記基本パーツの個数を受注処理する基本パーツ受注処理手段と、
を備えたことを特徴とする壁飾り受注システム。
【請求項２】
さらに、前記基本パーツ記憶手段に記憶された前記基本パーツを組み合わせて前記壁飾りのデザインを作成するデザイン作成手段を備え、
前記壁飾りデザイン入力手段は、前記デザイン作成手段により作成された前記デザインを入力することを特徴とする請求項１記載の壁飾り受注システム。
【請求項３】
前記デザイン作成手段は、
前記基本パーツ記憶手段に記憶された全ての種の前記基本パーツを画面上に表示する基本パーツ表示手段と、
前記画面上に表示された全ての種の前記基本パーツのうち何れかの前記基本パーツを選択する基本パーツ選択手段と、
前記基本パーツ選択手段により選択された前記基本パーツを前記画面上のデザイン設計領域に配設して前記デザインを作成する基本パーツ配設手段と、
を備えたことを特徴とする請求項２記載の壁飾り受注システム。
【請求項４】
さらに、前記基本パーツを組み合わせて形成された前記壁飾りのデザインひな形を複数種記憶するデザインひな形記憶手段を備え、
前記デザイン作成手段は、
前記デザインひな形記憶手段に記憶された複数種の前記デザインひな形を画面上に表示するデザインひな形表示手段と、
前記画面上に表示された複数種の前記デザインひな形のうち何れかの前記デザインひな形を選択するデザインひな形選択手段と、
を備えたことを特徴とする請求項２記載の壁飾り受注システム。
【請求項５】
前記デザインひな形記憶手段に記憶された前記デザインひな形は、１種以上のアルファベットを組み合わせて形成され、
前記デザイン作成手段は、さらに、１種以上のアルファベットを入力するアルファベット入力手段を備え、
前記デザインひな形表示手段は、前記アルファベット入力手段に入力された前記アルファベットに応じた前記デザインひな形を画面上に表示することを特徴とする請求項４記載の壁飾り受注システム。
【請求項６】
前記デザイン作成手段は、
さらに、前記デザインひな形選択手段により選択された前記デザインひな形を構成する前記基本パーツのうち何れかの前記基本パーツを選択するひな形構成基本パーツ選択手段と、
前記ひな形構成基本パーツ選択手段により選択された前記基本パーツを移設するひな形構成基本パーツ移設手段と、
を備えたことを特徴とする請求項４又は５に記載の壁飾り受注システム。
【請求項７】
前記基本パーツ配設手段は、
前記画面上のデザイン設計領域のうち前記基本パーツを配設不可領域を決定する配設不可領域決定手段と、
前記配設不可領域に前記基本パーツを配設しようとした場合に配設拒否処理を行う配設拒否処理手段と、
を備えたことを特徴とする請求項３記載の壁飾り受注システム。
【請求項８】
前記基本パーツ移設手段は、
前記画面上のデザイン設計領域のうち前記基本パーツを配設不可領域を決定する配設不可領域決定手段と、
前記配設不可領域に前記基本パーツを配設しようとした場合に配設拒否処理を行う配設拒否処理手段と、
を備えたことを特徴とする請求項６記載の壁飾り受注システム。
【請求項９】
前記配設拒否処理は、前記基本パーツの配設を不可能とする処理であることを特徴とする請求項７又は８に記載の壁飾り受注システム。
【請求項１０】
前記配設拒否処理は、前記基本パーツを前記配設不可領域に配設した場合に前記画面上に警告表示を行う処理であることを特徴とする請求項７又は８に記載の壁飾り受注システム。
【請求項１１】
前記配設不可領域は、前記基本パーツを壁へ取付ける取付台座が他の前記基本パーツと重畳する領域であることを特徴とする請求項７又は８に記載の壁飾り受注システム。
【請求項１２】
前記基本パーツ記憶手段は、
前記基本パーツの形状からなる基本パーツ形状を複数種記憶する基本パーツ形状記憶手段と、
前記基本パーツの表面カラーを複数種記憶する表面カラー記憶手段と、
を備えたことを特徴とする請求項１記載の壁飾り受注システム。
【請求項１３】
前記基本パーツ記憶手段は、前記基本パーツの表面カラーを複数種記憶する表面カラー記憶手段を備え、
前記デザイン作成手段は、
さらに、前記表面カラー記憶手段に記憶された全ての種の前記表面カラーを画面上に表示する表面カラー表示手段と、
前記基本パーツ配設手段により前記デザイン設計領域に配設された前記基本パーツのうち何れかの前記基本パーツを選択する基本パーツ選択手段と、
前記基本パーツ選択手段により選択された前記基本パーツの前記表面カラーを前記画面上に表示された全ての種の前記表面カラーのうちから何れかの前記表面カラーを選択する表面カラー選択手段と、
を備えたことを特徴とする請求項３記載の壁飾り受注システム。
【請求項１４】
前記基本パーツ記憶手段は、前記基本パーツの表面カラーを複数種記憶する表面カラー記憶手段を備え、
前記デザイン作成手段は、
さらに、前記表面カラー記憶手段に記憶された全ての種の前記表面カラーを画面上に表示する表面カラー表示手段と、
前記デザインひな形選択手段により選択された前記デザインひな形を構成する前記基本パーツのうち何れかの前記基本パーツを選択するひな形構成基本パーツ選択手段と、
前記ひな形構成基本パーツ選択手段により選択された前記基本パーツの前記表面カラーを前記画面上に表示された全ての種の前記表面カラーのうちから何れかの前記表面カラーを選択する表面カラー選択手段と、
を備えたことを特徴とする請求項４記載の壁飾り受注システム。
【請求項１５】
前記デザイン作成手段は、
さらに、前記基本パーツ配設手段により作成された前記デザインを構成する前記基本パーツのうち何れかの前記基本パーツが重畳するか否かを判定する重畳箇所判定手段と、
重畳する複数の前記基本パーツの重畳順を変更する重畳順変更手段と、
を備えたことを特徴とする請求項３記載の壁飾り受注システム。
【請求項１６】
前記デザイン作成手段は、
さらに、前記ひな形構成基本パーツ選択手段により選択された前記デザインひな形を構成する前記基本パーツのうち何れかの前記基本パーツが重畳するか否かを判定する重畳箇所判定手段と、
重畳する複数の前記基本パーツの重畳順を変更する重畳順変更手段と、
を備えたことを特徴とする請求項４記載の壁飾り受注システム。
【請求項１７】
前記基本パーツ記憶手段は、複数種のサイズからなる全ての前記基本パーツの形態を記憶することを特徴とする請求項１記載の壁飾り受注システム。
【請求項１８】
前記基本パーツ記憶手段は、複数種のサイズからなる全ての前記基本パーツの形態を記憶し、
前記デザイン作成手段は、
さらに、前記基本パーツ記憶手段に記憶された全ての種の前記サイズを画面上に表示するサイズ表示手段と、
前記画面上に表示された全ての種の前記サイズのうち何れかの前記サイズを選択するサイズ選択手段と、
を備えたことを特徴とする請求項３又は４の何れかに記載の壁飾り受注システム。
【請求項１９】
少なくとも前記基本パーツ記憶手段と前記壁飾りデザイン入力手段と前記基本パーツ抽出手段と前記基本パーツ受注処理手段とを備えた壁飾り受注用ホストコンピュータと、
前記壁飾り受注用ホストコンピュータにネットワークを介して接続されると共に前記デザイン作成手段を備えた又は前記デザイン作成手段をネットワークを介して利用可能な壁飾り発注用端末機器と、
からなることを特徴とする請求項２記載の壁飾り受注システム。
【請求項２０】
さらに、前記基本パーツを壁へ取付ける取付台座の全ての種類を記憶する取付台座記憶手段と、
前記デザイン入力手段により入力された前記デザインに基づき種毎の前記取付台座及び種毎の前記取付台座の個数を算出する取付台座算出手段とを備え、
前記基本パーツ受注処理手段は、前記基本パーツ抽出手段により抽出された種毎の前記基本パーツ及び種毎の前記基本パーツの個数と前記取付台座算出手段により選択された種毎の前記取付台座及び種毎の前記取付台座の個数とを受注処理することを特徴とする請求項１記載の壁飾り受注システム。
【請求項２１】
前記基本パーツ受注処理手段は、前記基本パーツ抽出手段により抽出された種毎の前記基本パーツ及び種毎の前記基本パーツの個数からなる受注伝票を作成することを特徴とする請求項１記載の壁飾り受注システム。
【請求項２２】
前記基本パーツ受注処理手段は、種毎の前記基本パーツ及び種毎の前記基本パーツの個数を受注した受注情報を発注者に送信することを特徴とする請求項１記載の壁飾り受注システム。
【請求項２３】
１種以上の基本パーツを複数個組み合わせて形成される壁飾りの受注システムとしてコンピュータを機能させる壁飾り受注用プログラムであって、
全ての種の前記基本パーツの形態を記憶する基本パーツ記憶手段と、
前記基本パーツ記憶手段に記憶された前記基本パーツを組み合わせて形成された前記壁飾りのデザインを入力する壁飾りデザイン入力手段と、
前記壁飾りデザイン入力手段に入力された前記デザインに基づき種毎の前記基本パーツ及び種毎の前記基本パーツの個数を抽出する基本パーツ抽出手段と、
前記基本パーツ抽出手段により抽出された種毎の前記基本パーツ及び種毎の前記基本パーツの個数を受注処理する基本パーツ受注処理手段と、
をコンピュータを機能させることを特徴とする壁飾り受注用プログラム。
【請求項２４】
１種以上の基本パーツを複数個組み合わせて形成される壁飾りの受注システムとしてコンピュータを機能させる壁飾り受注用プログラムを記録したコンピュータ読み取り可能な記録媒体であって、
全ての種の前記基本パーツの形態を記憶する基本パーツ記憶手段と、
前記基本パーツ記憶手段に記憶された前記基本パーツを組み合わせて形成された前記壁飾りのデザインを入力する壁飾りデザイン入力手段と、
前記壁飾りデザイン入力手段に入力された前記デザインに基づき種毎の前記基本パーツ及び種毎の前記基本パーツの個数を抽出する基本パーツ抽出手段と、
前記基本パーツ抽出手段により抽出された種毎の前記基本パーツ及び種毎の前記基本パーツの個数を受注処理する基本パーツ受注処理手段と、
をコンピュータを機能させることを特徴とする壁飾り受注用プログラムを記録したコンピュータ読み取り可能な記録媒体。
【請求項２５】
１種以上の基本パーツを複数個組み合わせて形成される壁飾りの受注方法であって、
全ての種の前記基本パーツの形態を記憶する基本パーツ記憶手段に記憶された前記基本パーツを組み合わせて形成された前記壁飾りのデザインを入力する壁飾りデザイン入力ステップと、
入力された前記デザインに基づき種毎の前記基本パーツ及び種毎の前記基本パーツの個数を抽出する基本パーツ抽出ステップと、
抽出された種毎の前記基本パーツ及び種毎の前記基本パーツの個数を受注処理する基本パーツ受注処理ステップと、
を備えたことを特徴とする壁飾り受注方法。
【発明の詳細な説明】
【技術分野】
【０００１】
本発明は、壁飾り受注システム、壁飾り受注用プログラム、壁飾り受注用プログラムを記録したコンピュータ読み取り可能な記録媒体、及び壁飾り受注方法に関するものである。
【背景技術】
【０００２】
従来、家壁等の壁飾りは、例えばアルファベット等の予めデザインされた一体型の壁飾りがある。そして、この一体型の壁飾りの受注は、発注者が発注した一体型の壁飾りを受注することにより行っていた。また、一体型の壁飾りの他に、複数の基本パーツを組み合わせて形成する壁飾りがある。そして、この複数の基本パーツにより形成される壁飾りの受注は、まず発注者が基本パーツを用いて自らデザインした後、デザインした壁飾りに必要な基本パーツを発注し、発注された基本パーツを受注することにより行っていた。すなわち、何れの壁飾りであっても、発注者が発注した一体型の壁飾り又は基本パーツそのものを受注していた。
【発明の開示】
【発明が解決しようとする課題】
【０００３】
しかし、前者の一体型の壁飾りは、予めデザインされた壁飾りであるので、壁飾りのバリエーションに限りがある。さらに、この場合、発注者により壁飾りのデザインをすることができない。
【０００４】
後者の複数の基本パーツからなる壁飾りは、発注者自ら壁飾りのデザインをすることができるが、誤って不要な基本パーツを発注するおそれがある。さらに、発注者自らがデザインした壁飾りが、実際には取付不可能なデザインである場合があるが、発注者はそれに気づくことなくそのデザインに基づき基本パーツを発注するおそれがある。この場合、発注者は、基本パーツを入手した際にようやく取付不可能であることに気づき、無駄な買い物をすることになる。
【０００５】
本発明は、このような事情に鑑みて為されたものであり、発注者自らが壁飾りのデザインをすることができると共に、誤って不要な基本パーツを発注することがなく、さらには取付不可能なデザインに基づき基本パーツを発注することのない壁飾り受注システム等を提供することを目的とする。
【課題を解決するための手段】
【０００６】
そこで、本発明者はこの課題を解決すべく鋭意研究し、試行錯誤を重ねた結果、発注者は基本パーツを発注するのではなく、複数の基本パーツを組み合わせた壁飾りのデザインを入力することを思いつき、本発明を完成するに至った。
【０００７】
すなわち、本発明の壁飾り受注システムは、１種以上の基本パーツを複数個組み合わせて形成される壁飾りの受注システムであって、全ての種の前記基本パーツの形態を記憶する基本パーツ記憶手段と、前記基本パーツ記憶手段に記憶された前記基本パーツを組み合わせて形成された前記壁飾りのデザインを入力する壁飾りデザイン入力手段と、前記壁飾りデザイン入力手段に入力された前記デザインに基づき種毎の前記基本パーツ及び種毎の前記基本パーツの個数を抽出する基本パーツ抽出手段と、前記基本パーツ抽出手段により抽出された種毎の前記基本パーツ及び種毎の前記基本パーツの個数を受注処理する基本パーツ受注処理手段と、を備えたことを特徴とする。
【０００８】
また、本発明の壁飾り受注システムは、さらに、前記基本パーツ記憶手段に記憶された前記基本パーツを組み合わせて前記壁飾りのデザインを作成するデザイン作成手段を備え、前記壁飾りデザイン入力手段は、前記デザイン作成手段により作成された前記デザインを入力することを特徴とする。
【０００９】
また、本発明の壁飾り受注システムは、前記デザイン作成手段は、前記基本パーツ記憶手段に記憶された全ての種の前記基本パーツを画面上に表示する基本パーツ表示手段と、前記画面上に表示された全ての種の前記基本パーツのうち何れかの前記基本パーツを選択する基本パーツ選択手段と、前記基本パーツ選択手段により選択された前記基本パーツを前記画面上のデザイン設計領域に配設して前記デザインを作成する基本パーツ配設手段と、を備えたことを特徴とする。
【００１０】
また、本発明の壁飾り受注システムは、さらに、前記基本パーツを組み合わせて形成された前記壁飾りのデザインひな形を複数種記憶するデザインひな形記憶手段を備え、前記デザイン作成手段は、前記デザインひな形記憶手段に記憶された複数種の前記デザインひな形を画面上に表示するデザインひな形表示手段と、前記画面上に表示された複数種の前記デザインひな形のうち何れかの前記デザインひな形を選択するデザインひな形選択手段と、を備えたことを特徴とする。
【００１１】
また、本発明の壁飾り受注システムは、前記デザインひな形記憶手段に記憶された前記デザインひな形は、１種以上のアルファベットを組み合わせて形成され、前記デザイン作成手段は、さらに、１種以上のアルファベットを入力するアルファベット入力手段を備え、前記デザインひな形表示手段は、前記アルファベット入力手段に入力された前記アルファベットに応じた前記デザインひな形を画面上に表示することを特徴とする。
【００１２】
また、本発明の壁飾り受注システムは、前記デザイン作成手段は、さらに、前記デザインひな形選択手段により選択された前記デザインひな形を構成する前記基本パーツのうち何れかの前記基本パーツを選択するひな形構成基本パーツ選択手段と、前記ひな形構成基本パーツ選択手段により選択された前記基本パーツを移設するひな形構成基本パーツ移設手段と、を備えたことを特徴とする。
【００１３】
また、本発明の壁飾り受注システムは、前記基本パーツ配設手段は、前記画面上のデザイン設計領域のうち前記基本パーツを配設不可領域を決定する配設不可領域決定手段と、前記配設不可領域に前記基本パーツを配設しようとした場合に配設拒否処理を行う配設拒否処理手段と、を備えたことを特徴とする。
【００１４】
また、本発明の壁飾り受注システムは、前記基本パーツ移設手段は、前記画面上のデザイン設計領域のうち前記基本パーツを配設不可領域を決定する配設不可領域決定手段と、前記配設不可領域に前記基本パーツを配設しようとした場合に配設拒否処理を行う配設拒否処理手段と、を備えたことを特徴とする。
【００１５】
また、本発明の壁飾り受注システムは、前記配設拒否処理は、前記基本パーツの配設を不可能とする処理であることを特徴とする。
【００１６】
また、本発明の壁飾り受注システムは、前記配設拒否処理は、前記基本パーツを前記配設不可領域に配設した場合に前記画面上に警告表示を行う処理であることを特徴とする。
【００１７】
また、本発明の壁飾り受注システムは、前記配設不可領域は、前記基本パーツを壁へ取付ける取付台座が他の前記基本パーツと重畳する領域であることを特徴とする。
【００１８】
また、本発明の壁飾り受注システムは、前記基本パーツ記憶手段は、前記基本パーツの形状からなる基本パーツ形状を複数種記憶する基本パーツ形状記憶手段と、前記基本パーツの表面カラーを複数種記憶する表面カラー記憶手段と、を備えたことを特徴とする。
【００１９】
また、本発明の壁飾り受注システムは、前記基本パーツ記憶手段は、前記基本パーツの表面カラーを複数種記憶する表面カラー記憶手段を備え、前記デザイン作成手段は、さらに、前記表面カラー記憶手段に記憶された全ての種の前記表面カラーを画面上に表示する表面カラー表示手段と、前記基本パーツ配設手段により前記デザイン設計領域に配設された前記基本パーツのうち何れかの前記基本パーツを選択する基本パーツ選択手段と、前記基本パーツ選択手段により選択された前記基本パーツの前記表面カラーを前記画面上に表示された全ての種の前記表面カラーのうちから何れかの前記表面カラーを選択する表面カラー選択手段と、を備えたことを特徴とする。
【００２０】
また、本発明の壁飾り受注システムは、前記基本パーツ記憶手段は、前記基本パーツの表面カラーを複数種記憶する表面カラー記憶手段を備え、前記デザイン作成手段は、さらに、前記表面カラー記憶手段に記憶された全ての種の前記表面カラーを画面上に表示する表面カラー表示手段と、前記デザインひな形選択手段により選択された前記デザインひな形を構成する前記基本パーツのうち何れかの前記基本パーツを選択するひな形構成基本パーツ選択手段と、前記ひな形構成基本パーツ選択手段により選択された前記基本パーツの前記表面カラーを前記画面上に表示された全ての種の前記表面カラーのうちから何れかの前記表面カラーを選択する表面カラー選択手段と、を備えたことを特徴とする。
【００２１】
また、本発明の壁飾り受注システムは、前記デザイン作成手段は、さらに、前記基本パーツ配設手段により作成された前記デザインを構成する前記基本パーツのうち何れかの前記基本パーツが重畳するか否かを判定する重畳箇所判定手段と、重畳する複数の前記基本パーツの重畳順を変更する重畳順変更手段と、を備えたことを特徴とする。
【００２２】
また、本発明の壁飾り受注システムは、前記デザイン作成手段は、さらに、前記ひな形構成基本パーツ選択手段により選択された前記デザインひな形を構成する前記基本パーツのうち何れかの前記基本パーツが重畳するか否かを判定する重畳箇所判定手段と、重畳する複数の前記基本パーツの重畳順を変更する重畳順変更手段と、を備えたことを特徴とする。
【００２３】
また、本発明の壁飾り受注システムは、前記基本パーツ記憶手段は、複数種のサイズからなる全ての前記基本パーツの形態を記憶することを特徴とする。
【００２４】
また、本発明の壁飾り受注システムは、前記基本パーツ記憶手段は、複数種のサイズからなる全ての前記基本パーツの形態を記憶し、前記デザイン作成手段は、さらに、前記基本パーツ記憶手段に記憶された全ての種の前記サイズを画面上に表示するサイズ表示手段と、前記画面上に表示された全ての種の前記サイズのうち何れかの前記サイズを選択するサイズ選択手段と、を備えたことを特徴とする。
【００２５】
また、本発明の壁飾り受注システムは、少なくとも前記基本パーツ記憶手段と前記壁飾りデザイン入力手段と前記基本パーツ抽出手段と前記基本パーツ受注処理手段とを備えた壁飾り受注用ホストコンピュータと、前記壁飾り受注用ホストコンピュータにネットワークを介して接続されると共に前記デザイン作成手段を備えた又は前記デザイン作成手段をネットワークを介して利用可能な壁飾り発注用端末機器と、からなることを特徴とする。
【００２６】
また、本発明の壁飾り受注システムは、さらに、前記基本パーツを壁へ取付ける取付台座の全ての種類を記憶する取付台座記憶手段と、前記デザイン入力手段により入力された前記デザインに基づき種毎の前記取付台座及び種毎の前記取付台座の個数を算出する取付台座算出手段とを備え、前記基本パーツ受注処理手段は、前記基本パーツ抽出手段により抽出された種毎の前記基本パーツ及び種毎の前記基本パーツの個数と前記取付台座算出手段により選択された種毎の前記取付台座及び種毎の前記取付台座の個数とを受注処理することを特徴とする。
【００２７】
また、本発明の壁飾り受注システムは、前記基本パーツ受注処理手段は、前記基本パーツ抽出手段により抽出された種毎の前記基本パーツ及び種毎の前記基本パーツの個数からなる受注伝票を作成することを特徴とする。
【００２８】
また、本発明の壁飾り受注システムは、前記基本パーツ受注処理手段は、種毎の前記基本パーツ及び種毎の前記基本パーツの個数を受注した受注情報を発注者に送信することを特徴とする。
【００２９】
また、本発明の壁飾り受注用プログラムは、１種以上の基本パーツを複数個組み合わせて形成される壁飾りの受注システムとしてコンピュータを機能させる壁飾り受注用プログラムであって、全ての種の前記基本パーツの形態を記憶する基本パーツ記憶手段と、前記基本パーツ記憶手段に記憶された前記基本パーツを組み合わせて形成された前記壁飾りのデザインを入力する壁飾りデザイン入力手段と、前記壁飾りデザイン入力手段に入力された前記デザインに基づき種毎の前記基本パーツ及び種毎の前記基本パーツの個数を抽出する基本パーツ抽出手段と、前記基本パーツ抽出手段により抽出された種毎の前記基本パーツ及び種毎の前記基本パーツの個数を受注処理する基本パーツ受注処理手段と、をコンピュータを機能させることを特徴とする。
【００３０】
なお、上記壁飾り受注システムにおける他の特徴的部分を壁飾り受注用プログラムに同様に適用することもできる。この場合、上述した同様の効果を奏することができる。
【００３１】
また、本発明の壁飾り受注用プログラムを記録したコンピュータ読み取り可能な記録媒体は、１種以上の基本パーツを複数個組み合わせて形成される壁飾りの受注システムとしてコンピュータを機能させる壁飾り受注用プログラムを記録したコンピュータ読み取り可能な記録媒体であって、全ての種の前記基本パーツの形態を記憶する基本パーツ記憶手段と、前記基本パーツ記憶手段に記憶された前記基本パーツを組み合わせて形成された前記壁飾りのデザインを入力する壁飾りデザイン入力手段と、前記壁飾りデザイン入力手段に入力された前記デザインに基づき種毎の前記基本パーツ及び種毎の前記基本パーツの個数を抽出する基本パーツ抽出手段と、前記基本パーツ抽出手段により抽出された種毎の前記基本パーツ及び種毎の前記基本パーツの個数を受注処理する基本パーツ受注処理手段と、をコンピュータを機能させることを特徴とする。
【００３２】
なお、上記壁飾り受注システムにおける他の特徴的部分を壁飾り受注用プログラムを記録したコンピュータ読み取り可能な記録媒体に同様に適用することもできる。この場合、上述した同様の効果を奏することができる。
【００３３】
また、本発明の壁飾り受注方法は、１種以上の基本パーツを複数個組み合わせて形成される壁飾りの受注方法であって、全ての種の前記基本パーツの形態を記憶する基本パーツ記憶手段に記憶された前記基本パーツを組み合わせて形成された前記壁飾りのデザインを入力する壁飾りデザイン入力ステップと、入力された前記デザインに基づき種毎の前記基本パーツ及び種毎の前記基本パーツの個数を抽出する基本パーツ抽出ステップと、抽出された種毎の前記基本パーツ及び種毎の前記基本パーツの個数を受注処理する基本パーツ受注処理ステップと、を備えたことを特徴とする。
【００３４】
なお、上記壁飾り受注システムにおける他の特徴的部分を壁飾り受注方法に同様に適用することもできる。この場合、上述した同様の効果を奏することができる。なお、壁飾り受注システムにおける手段は、ステップに置き換える。
【発明の効果】
【００３５】
本発明の壁飾り受注システムによれば、発注者は複数の基本パーツを組み合わせた壁飾りのデザインを入力するのみであって、そのデザインに基づき基本パーツの受注処理を行うことができる。すなわち、基本パーツの抽出は壁飾り受注システムにより確実に行われるので、発注者は誤って不要な基本パーツを発注することがない。また、発注者は、複数の基本パーツにより壁飾りのデザインを自由に決定することができる。
【００３６】
また、本発明の壁飾り受注システムによれば、デザイン作成手段を備えているので、基本パーツを用いた壁飾りのデザインが容易に行うことができる。
【００３７】
また、本発明の壁飾り受注システムによれば、例えばマウス等のポインティングデバイスによりドラッグ＆ドロップ等することにより、壁飾りのデザインを作成することができる。つまり、非常に容易で、自由度の高い壁飾りのデザインを作成することができる。
【００３８】
また、本発明の壁飾り受注システムによれば、予め記憶されているデザインひな形を利用して壁飾りのデザインを作成することができる。ここで、デザインひな形は、複数の基本パーツを組み合わせて形成されているので、従来の一体型壁飾りと比較すると、デザインの自由度は拡大させることができる。すなわち、従来の一体型壁飾りに対して、自由度が高い壁飾りのデザインを作成することができることになる。
【００３９】
また、本発明の壁飾り受注システムによれば、発注者が入力したアルファベットに基づき、予め記憶したデザインひな形を画面上に表示することができ、このデザインひな形を利用してデザインを作成することができる。ここで、同一のアルファベットの順列である場合であっても、複数のデザインが考えられる。つまり、発注者はアルファベットの入力のみで、そのアルファベットに応じた複数のデザインひな形が画面上に表示されるので、容易に発注者が求めるデザインひな形を抽出することができる。
【００４０】
また、本発明の壁飾り受注システムによれば、デザインひな形をさらに編集することができるので、より発注者の求めるデザインを作成することができる。さらに、デザインひな形を参考にすることにより、発注者自らが容易にデザインを作成することができる。
【００４１】
また、本発明の壁飾り受注システムによれば、例えば、基本パーツの取付台座の部分が他の基本パーツ等と重なり合う場合等の取付不可能なデザインを作成しないようにすることができる。つまり、従来のように、取付不可能なデザインに必要な基本パーツを発注することをなくすことができる。
【００４２】
また、本発明の壁飾り受注システムによれば、デザイン作成に際して、基本パーツを取付不可能な位置には、基本パーツを配設又は移設することができないことが、デザイン作成者は容易に認識することができる。その結果、デザイン作成者は取付可能な壁飾りのデザインを容易に作成することができる。
【００４３】
また、本発明の壁飾り受注システムによれば、デザイン作成に際して、基本パーツを取付不可能な位置に基本パーツを配設又は移設しようとすると警告表示が表示されるので、デザイン作成者は、基本パーツを配設又は移設できないことを容易に認識することができる。その結果、デザイン作成者は、取付可能な壁飾りのデザインを容易に作成することができる。
【００４４】
また、本発明の壁飾り受注システムによれば、基本パーツが取付不可能である一の基本パーツの取付台座が他の基本パーツに重畳する位置を、配設又は移設不可能領域とすることで、取付不可能なデザインを作成しないようにすることができる。
【００４５】
また、本発明の壁飾り受注システムによれば、基本パーツ情報は、基本パーツの形状と基本パーツの表面カラーとからなるようにしているので、形状のみならず表面カラーを付した基本パーツの受注処理を行うことができる。
【００４６】
また、本発明の壁飾り受注システムによれば、発注者自ら表面カラーを各基本パーツ毎に決定することができるので、よりデザイン作成の自由度を向上させることができる。
【００４７】
また、本発明の壁飾り受注システムによれば、基本パーツを重畳させたデザインの場合に、その重畳順序を容易に変更することができる。ここで、基本パーツの重畳順序が変更されると、異なる壁飾りのデザインとなるものである。
【００４８】
また、本発明の壁飾り受注システムによれば、基本パーツ情報は、複数の異なるサイズのものを有することにより、種々のサイズの基本パーツの受注処理を行うことができる。
【００４９】
また、本発明の壁飾り受注システムによれば、発注者が求めるサイズのデザインを容易に作成することができる。
【００５０】
また、本発明の壁飾り受注システムによれば、壁飾り受注用ホストコンピュータは、発注者がインターネット等のネットワークを介して発注された壁飾りのデザインを入力して、そのデザインに基づき基本パーツの受注処理を行うことができる。つまり、発注者は、例えば家庭用パソコン等を利用して発注することができる。
【００５１】
また、本発明の壁飾り受注システムによれば、基本パーツと取付台座とをセットで容易に受注することができる。ここで、例えば、基本パーツを重畳するデザインの場合等において、取付台座の選定は従来熟練者により行われていた。しかし、本発明によれば、取付台座の選定についても、熟練者を必要とすることなく容易に行うことができる。
【００５２】
また、本発明の壁飾り受注システムによれば、受注処理として受注伝票を作成するので、基本パーツの受注を正確に行うことができる。
【００５３】
また、本発明の壁飾り受注システムによれば、受注処理として発注者に受注情報を送信するので、発注者は発注できたことを確実に認識することができる。
【００５４】
また、本発明の壁飾り受注用プログラムによれば、発注者は複数の基本パーツを組み合わせた壁飾りのデザインを入力するのみであって、そのデザインに基づき基本パーツの受注処理を行うことができる。すなわち、基本パーツの抽出は壁飾り受注システムにより確実に行われるので、発注者は誤って不要な基本パーツを発注することがない。また、発注者は、複数の基本パーツにより壁飾りのデザインを自由に決定することができる。
【００５５】
また、本発明の壁飾り受注用プログラムを記録したコンピュータ読み取り可能な記録媒体によれば、発注者は複数の基本パーツを組み合わせた壁飾りのデザインを入力するのみであって、そのデザインに基づき基本パーツの受注処理を行うことができる。すなわち、基本パーツの抽出は壁飾り受注システムにより確実に行われるので、発注者は誤って不要な基本パーツを発注することがない。また、発注者は、複数の基本パーツにより壁飾りのデザインを自由に決定することができる。
【００５６】
また、本発明の壁飾り受注方法によれば、発注者は複数の基本パーツを組み合わせた壁飾りのデザインを入力するのみであって、そのデザインに基づき基本パーツの受注処理を行うことができる。すなわち、基本パーツの抽出は壁飾り受注システムにより確実に行われるので、発注者は誤って不要な基本パーツを発注することがない。また、発注者は、複数の基本パーツにより壁飾りのデザインを自由に決定することができる。
【発明を実施するための最良の形態】
【００５７】
次に、実施形態を挙げ、本発明をより詳しく説明する。
【００５８】
（複数の基本パーツの組合せにより形成される壁飾り）
まず、本実施形態の壁飾り受注システムに用いる壁飾りについて図１〜３を参照して説明する。図１は、壁飾りを説明する図である。図２は、基本パーツＰの形状を示す図である。図３は、複数の基本パーツＰを組み合わせて形成される壁飾りの例を示す図である。図４は、基本パーツＰを壁に取付けた状態図である。
【００５９】
図１に示すように、壁飾りは、例えば住宅の外壁等に取付けて住宅の外観をコーディネートするため等に用いられる。そして、本実施形態における壁飾りは、図２に示す複数の基本パーツＰを組み合わせて形成する。この基本パーツＰは、例えば、アルミニウム製の鋳物や、繊維強化プラスチック（ＦＲＰ）等により形成される。基本パーツＰは、図２に示すように、１９種類の形状（１）〜（１９）からなり、所定の厚さに形成されている。なお、本実施形態においては、各基本パーツＰは、相似する３種類のサイズ、すなわち「大、中、小」の３種類のサイズのものがある。また、基本パーツＰは、１〜３箇所の取付用穴（図示せず）が形成されている。例えば、基本パーツＰ（１）の「｜」の場合、上端側と下端側にそれぞれ取付用穴が形成されている。この取付穴は、後述する取付台座Ｂを取り付けるためのものである。
【００６０】
そして、これらの基本パーツＰを組み合わせて適宜配置することにより、例えば図３に示すようなアルファベットの壁飾りを形成することができる。例えば、アルファベット「Ａ」は、３種類の基本パーツＰ「（１），（６），（１９）」により形成される。さらに、図１に示すように、複数のアルファベット「Ｔ」「Ｇ」等を組み合わせた壁飾りを形成することもできる。
【００６１】
また、基本パーツＰを住宅の外壁に取り付ける際には、図４に示すように、基本パーツＰと外壁との間に所定高さに形成された円柱形状の取付台座Ｂを配設する。この取付台座Ｂは、基本パーツＰを外壁に固定するためのものである。このようにして、１種以上の基本パーツＰを複数個組み合わせることにより壁飾りを形成することができる。
【００６２】
（壁飾り受注システムの全体構成）
次に、上述した壁飾りを受注する壁飾り受注システムについて説明する。ここで、壁飾り受注システムの全体構成を示した図５を参照して説明する。図５に示すように、壁飾り受注システムは、受注用ホストコンピュータ１と発注者端末装置２とから構成されており、受注用ホストコンピュータ１と発注者端末装置２とはインターネット等のネットワーク３を介して接続されている。
【００６３】
受注用ホストコンピュータ１は、メモリ１１と、ＣＰＵ１２と、インターフェイスＩ／Ｆ１３とから構成されている。メモリ１１には、基本パーツデータベース（基本パーツ記憶手段）１４と、ひな形データベース（デザインひな形記憶手段）１５と、取付台座データベース（取付台座記憶手段）１６と、デザイン作成アプリケーション記憶部１７と、から構成されている。基本パーツデータベース１４は、さらに詳細には、基本パーツ形状データベース１８と、表面カラーデータベース１９と、サイズデータベース２０とから構成されている。
【００６４】
基本パーツ形状データベース１８は、図２に示す１９種類の基本パーツＰの形状が記憶されている。さらに、各基本パーツＰ毎に、壁に取付ける際に必要な取付台座Ｂの個数が記憶されている。表面カラーデータベース１９は、複数種類の表面カラーが記憶されている。この表面カラーとは、基本パーツＰの表面に塗布されるカラーである。本実施形態における表面カラーは、「Ａ」「Ｂ」「Ｃ」の３種類である。サイズデータベース２０は、各基本パーツの縦寸法及び横寸法が記憶されている。すなわち、本実施形態においては、基本パーツＰは相似する３種類のサイズ「大・中・小」を有するので、各基本パーツＰ毎に、３種類の縦寸法及び横寸法が記憶されている。
【００６５】
ひな形データベース１５は、１種以上の基本パーツＰを組み合わせて形成された壁飾りのひな形Ｍを複数個記憶している。このひな形データベース１５には、図３に示したアルファベットのひな形Ｍに加えて、アルファベットではない様々な形状からなるひな形Ｍが記憶されている。さらに、例えば、図１に示したアルファベット等を複数個組み合わせて形成されたひな形Ｍも記憶されている。
【００６６】
取付台座データベース１６は、取付台座Ｂの形状及びサイズが記憶されている。記憶される取付台座Ｂは、基本パーツＰの相似する３種類の相似サイズ「大・中・小」に対応した３種類で、さらに、それぞれの相似サイズ「大・中・小」毎に異なる高さ「高・中・低」の３種類がある。すなわち、取付台座データベース１６には、９種類の取付台座の形状及びサイズが記憶されている。ここで、３種類の異なる高さ「高・中・低」の取付台座Ｂを有するのは、次の理由によるものである。例えば、壁飾りのデザインが、複数の基本パーツＰが交差するデザインの場合には、それぞれの基本パーツＰ毎に異なる高さの取付台座Ｂを用いる必要があるためである。なお、複数の基本パーツＰが交差しない場合には、高さ「中」の取付台座を用いるようにしている。
【００６７】
デザイン作成アプリケーション記憶部１７は、発注者端末装置２にて壁飾りのデザイン設計を行うためのデザイン作成アプリケーションが記憶されている。
【００６８】
ＣＰＵ１２は、デザイン入力部（壁飾りデザイン入力手段）２１と、基本パーツ抽出部（基本パーツ抽出手段）２２と、取付台座算出部（取付台座算出手段）２３と、受注処理部（受注処理手段）２４とから構成されている。デザイン入力部２１は、発注者端末装置２により作成された壁飾りのデザインをネットワーク３及びインターフェイス１３を介して入力する。例えば、図１に示すアルファベット「Ｔ・Ｇ」からなる壁飾りのデザイン等が入力される。この入力される壁飾りのデザインは、壁飾りのデザインを構成するそれぞれの基本パーツＰの表面カラーの情報も存在する。さらに、入力される壁飾りのデザインは、相似サイズ「大・中・小」の何れかの情報も存在する。さらに、入力される壁飾りのデザインは、壁飾りのデザインを構成する複数の基本パーツＰが交差している場合には、基本パーツＰの重畳順に関する情報も存在する。
【００６９】
基本パーツ抽出部２２は、デザイン入力部２１に入力された壁飾りのデザイン及び基本パーツデータベース１４に基づき、種類毎の基本パーツＰと種類毎の基本パーツの個数とを抽出する。具体的には、デザイン入力部２１に入力された壁飾りのデザイン及び基本パーツ形状データベース１８に基づき、基本パーツＰの形状の種類とその個数が抽出される。例えば、図３に示すアルファベット「Ａ」の壁飾りデザインがデザイン入力部２１に入力された場合、図２に示す基本パーツＰ「（１），（６），（１９）」の３種類がそれぞれ１個ずつ抽出される。さらに、基本パーツ抽出部２２は、デザイン入力部２１に入力された壁飾りのデザインの表面カラー情報及び表面カラーデータベース１９に基づき、それぞれの基本パーツＰ毎の表面カラーを抽出する。さらに、基本パーツ抽出部２２は、デザイン入力部２１に入力された壁飾りのデザインの相似サイズ及びサイズデータベース２０に基づき、基本パーツＰが相似サイズ「大・中・小」の何れかであるかを抽出する。
【００７０】
取付台座算出部２３は、デザイン入力部２１に入力された壁飾りのデザイン及び取付台座データベース１６に基づき、種類毎の取付台座Ｂと種類毎の取付台座Ｂの個数とを算出する。具体的には、壁飾りのデザインを構成する複数の基本パーツＰが交差していない場合には、高さ「中」の取付台座Ｂを全ての基本パーツＰに用いる。従って、例えば図３に示すアルファベット「Ａ」の場合には、基本パーツＰ（１）に対しては高さ「中」の取付台座Ｂが２個、基本パーツＰ（６）に対しては高さ「中」の取付台座Ｂが２個、基本パーツＰ（１９）に対しては高さ「中」の取付台座Ｂが１個となり、全体としては高さ「中」の取付台座Ｂが５個が算出される。一方、壁飾りのデザインを構成する複数の基本パーツＰが交差している場合には、壁飾りのデザインを構成する基本パーツＰと基本パーツＰの重畳順に関する情報とに基づき、高さ「高・中・低」の取付台座Ｂの種類とその個数を算出する。
【００７１】
受注処理部２４は、受注伝票作成部（図示せず）と受注通知部（図示せず）とから構成される。受注伝票作成部は、基本パーツ抽出部２２により抽出された基本パーツＰの種類とその個数、及び、取付台座算出部２３により算出された取付台座Ｂの種類とその個数を受注したことの受注伝票を作成する。そして、この受注伝票に基づき、それぞれの基本パーツＰとそれぞれの取付台座Ｂが発注者に郵送される。受注通知部は、基本パーツ抽出部２２により抽出された基本パーツＰの種類とその個数、及び、取付台座算出部２３により算出された取付台座Ｂの種類とその個数を受注したことを、インターフェイス１３及びネットワーク３を介して発注者に電子メール等を送信することにより通知する処理を行う。
【００７２】
インターフェイス１３は、メモリ１１、ＣＰＵ１２、及びネットワーク３に接続されている。
【００７３】
発注者端末装置２は、入力部３１と、デザイン作成部（デザイン作成手段）３２と、表示部３３と、インターフェイス３４とから構成される。入力部３１は、例えばキーボードやマウス等である。表示部３３は、後述する基本パーツ・ひな形やデザイン設計領域などが表示される。インターフェイス３４は、デザイン作成部３２とネットワーク３とを接続する。
【００７４】
デザイン作成部３２は、壁飾りのデザインを作成する。このデザイン作成部３２については、図６〜図８を参照して詳述する。図６は、デザイン作成部３２を構成するブロック図を示す。図７は、サイズ表示処理部４９のブロック図を示す。図８は、基本パーツ・ひな形配設部５１のブロック図を示す。
【００７５】
図６に示すように、デザイン作成部３２は、基本パーツ表示入力部４１と、基本パーツ表示処理部４２と、ひな形表示入力部４３と、アルファベット表示入力部４４と、ひな形表示処理部４５と、表面カラー表示入力部４６と、表面カラー表示処理部４７と、サイズ表示入力部４８と、サイズ表示処理部４９と、基本パーツ・ひな形選択部５０と、基本パーツ・ひな形配設部５１と、重畳箇所判定部５２と、重畳順変更部５３と、表面カラー選択部５４と、サイズ選択部５５とから構成される。
【００７６】
基本パーツ表示入力部４１は、基本パーツＰを表示部３３に表示する指示を入力部３１から入力する。基本パーツ表示処理部（基本パーツ表示手段）４２は、基本パーツ表示入力部４１に基本パーツＰを表示部３３に表示する指示が入力された場合に、基本パーツ形状データベース１８からネットワーク３を介して入力した基本パーツＰを表示部３３の基本パーツ・ひな形表示領域（後述）に表示させる処理を行う。
【００７７】
ひな形表示入力部４３は、ひな形Ｍを表示部３３に表示する指示を入力部３１から入力する。アルファベット表示入力部（アルファベット入力手段）４４は、発注者がキーボード等の入力部３１にて入力されたアルファベットを入力する。ひな形表示処理部（デザインひな形表示手段）４５は、ひな形表示入力部４３にひな形Ｍを表示部３３に表示する指示が入力された場合、及び、アルファベット表示入力部４４にアルファベットが入力された場合に、ひな形データベース１５からネットワーク３を介して入力したひな形Ｍを表示部３３の基本パーツ・ひな形表示領域（後述）に表示させる処理を行う。なお、アルファベット表示入力部３４にアルファベットが入力された場合には、ひな形表示処理部４５は、ひな形データベース１５に記憶されているひな形Ｍのうちの前記アルファベットに該当するひな形Ｍのみが表示部３３の基本パーツ・ひな形表示領域に表示される処理を行う。
【００７８】
表面カラー表示入力部４６は、表面カラーを表示部３３に表示する指示を入力部３１から入力する。表面カラー表示処理部（表面カラー表示手段）４７は、表面カラー表示入力部４６に表面カラーを表示部３３に表示する指示が入力された場合に、表面カラーデータベース１９からネットワーク３を介して入力した表面カラーを表示部３３に表示させる処理を行う。
【００７９】
サイズ表示入力部４８は、作成した壁飾りのデザインの縦横サイズを表示部３３に表示する指示を入力部３１から入力する。サイズ表示処理部（サイズ表示手段）４９は、図７に示すように、縦横サイズ算出部６１と、縦横サイズ表示処理部６２とから構成される。縦横サイズ算出部６１は、サイズ表示入力部４８に前記縦横サイズを表示部３３に表示する指示が入力された場合に、サイズデータベース２０からネットワーク３を介して入力した基本パーツＰの縦横サイズに基づき、作成した壁飾りのデザインの縦横サイズを算出する。ここでは、相似サイズ「大・中・小」のそれぞれの場合における壁飾りデザインの縦横サイズを算出する。縦横サイズ表示処理部６２は、縦横サイズ算出部６１により算出された壁飾りデザインの縦横サイズを表示部３３に表示する処理を行う。すなわち、相似サイズ「大・中・小」に対応するそれぞれの縦横サイズを表示部３３に表示する処理を行う。
【００８０】
基本パーツ・ひな形選択部（基本パーツ選択手段，デザインひな形選択手段，ひな形構成基本パーツ選択手段）５０は、基本パーツ表示処理部４２又はひな形表示処理部４５により表示部３３に表示された基本パーツＰ又はひな形Ｍを選択する指示を入力部３１から入力する。選択することができる基本パーツＰ又はひな形Ｍは、表示部３３に表示される基本パーツ・ひな形表示領域（後述）及びデザイン設計領域（後述）に表示された基本パーツＰ又はひな形Ｍである。また、表示部３３のデザイン設計領域に表示された壁飾りのデザインを構成する基本パーツは、構成するそれぞれの基本パーツＰを選択することもでき、構成する全ての基本パーツＰを選択することもできる。
【００８１】
基本パーツ・ひな形配設部（基本パーツ配設手段，ひな形構成基本パーツ移設手段）５１は、図８に示すように、基本パーツ・ひな形配設処理部７１と、配設不可領域決定部７２と、配設拒否処理部７３とから構成される。基本パーツ・ひな形配設処理部７１は、基本パーツ・ひな形選択部５０により選択された基本パーツＰ又はひな形Ｍを表示部３３のデザイン設計領域内の何れかの位置に配設する処理を行う。ここで、基本パーツＰ又はひな形Ｍを配設するデザイン設計領域内の何れかの位置は、発注者が入力部３１から入力される指示に基づき行われる。すなわち、この基本パーツ・ひな形配設処理部７１により壁飾りのデザインの形状が作成される。
【００８２】
配設不可領域決定部（配設不可領域決定手段）７２は、表示部３３のデザイン設計領域のうち基本パーツＰ又はひな形Ｍを配設することができない配設不可領域を決定する。具体的には、配設不可領域決定部７２が予め配設不可領域条件を記憶しており、この配設不可領域条件を満たす位置が配設不可領域と決定される。例えば、既に表示部３３のデザイン設計領域に基本パーツＰが配設されていて、さらに他の基本パーツＰをデザイン設計領域に配設しようとした場合に、他の基本パーツＰのための取付台座Ｂが既に配設されている基本パーツＰに重畳する場合を配設不可領域条件とする。これは、一の基本パーツＰ用の取付台座Ｂが他の基本パーツＰに重畳する場合には、一の基本パーツＰが壁に取付不可能となるためである。さらに、他の配設不可領域条件として、例えば、基本パーツＰの重畳個数が３個より多い場合とする。これは、本実施形態における取付台座Ｂの高さ種類が「高・中・低」の３種類であるので、基本パーツＰの重畳個数が３個より多い場合には壁に固定することができないからである。
【００８３】
配設拒否処理部（配設拒否処理手段）７３は、配設不可領域決定部７２により基本パーツＰ又はひな形Ｍを配設することができないと決定された場合に、配設拒否処理を行う。ここで、第一の配設拒否処理は、基本パーツＰの配設を不可能とする処理である。すなわち、基本パーツ・ひな形配設処理部７１により基本パーツＰが配設不可領域に配設されようとした場合であっても、その配設不可領域に基本パーツＰを配設できないようにする処理である。第二の配設拒否処理は、基本パーツＰを配設不可領域に配設した場合に表示部３３に警告表示を行う処理である。
【００８４】
重畳箇所判定部（重畳箇所判定手段）５２は、基本パーツ・ひな形配設部５１により作成された壁飾りのデザインの形状を構成する基本パーツＰのうちの何れかが他の基本パーツＰと重畳するか否かを判定する。重畳順変更部（重畳箇所変更手段）５３は、重畳箇所判定部５２により一の基本パーツＰが他の基本パーツＰと重畳すると判定されている場合に、重畳する一の基本パーツＰと他の基本パーツＰの重畳順を変更する。この重畳順の変更は、発注者が入力部３１から入力する指示に基づき行われる。
【００８５】
表面カラー選択部（表面カラー選択手段）５４は、表面カラー表示処理部４７により表示部３３に表示された表面カラーの何れかを選択する指示を入力部３１から入力する。さらに、基本パーツ・ひな形選択部５０により選択された基本パーツＰ又はひな形Ｍに、選択された表面カラーを付した状態を表示部３３に表示する処理を行う。さらに、それぞれの基本パーツＰ毎に表面カラー情報を記憶させる。
【００８６】
サイズ選択部（サイズ選択手段）５５は、サイズ表示処理部４９により表示部３３に表示された相似サイズ「大・中・小」に対応する縦横サイズのうちの何れかを選択する指示を入力部３１から入力する。さらに、それぞれの基本パーツＰ毎に対応する相似サイズ情報を記憶させる。
【００８７】
（壁飾り受注システムの処理手順）
次に、上述した壁飾り受注システムの処理手順について図９〜図２０を参照して説明する。図９は、壁飾り受注システムのメイン処理を示すフローチャートである。図１０及び図１１は、デザイン作成処理を示すフローチャートである。図１２〜図１５は、デザイン作成処理における表示部３３に表示される画面を示す図である。図１６は、サイズ選択処理を示すフローチャートである。図１７は、サイズ選択処理における表示部３３に表示される画面を示す図である。図１８は、表面カラー選択処理を示すフローチャートである。図１９は、表面カラー選択処理における表示部３３に表示される画面を示す図である。
【００８８】
（壁飾り受注システムのメイン処理）
まず、壁飾り受注システムのメイン処理の概略について図９を参照して説明する。図９に示すように、発注者は、発注者端末装置２を用いて、ネットワーク３を介することにより受注用ホストコンピュータ１にアクセスする（ステップＳ１）。続いて、発注者が、発注者端末装置２の入力部３１から入力して、受注用ホストコンピュータ１のデザイン作成アプリケーション記憶部１７に記憶されているデザイン作成アプリケーションを起動させる（ステップＳ２）。なお、デザイン作成アプリケーションの起動画面は、発注者端末装置２の表示部３３に表示される。
【００８９】
続いて、発注者は、発注者端末装置２のデザイン作成部３２により壁飾りのデザインを作成する処理を行う（ステップＳ３）。続いて、発注者は、デザイン作成部３２により作成した壁飾りのデザインの相似サイズ「大・中・小」の何れかを選択する処理を行う（ステップＳ４）。続いて、発注者は、デザイン作成部３２により作成した壁飾りのデザインを構成する基本パーツＰの表面カラーを選択する処理を行う（ステップＳ５）。続いて、発注者は、作成した壁飾りのデザインの発注処理を行う（ステップＳ６）。この発注処理は、例えば、作成した壁飾りのデザインを最終決定処理を行うことにより実行される処理である。具体的には、作成した壁飾りのデザインを受注用ホストコンピュータへネットワーク３を介して配信する処理となる。
【００９０】
続いて、発注者が壁飾りのデザインを発注処理すると、受注用ホストコンピュータ１のデザイン入力部２１に発注された壁飾りのデザインが入力される（ステップＳ７）。続いて、入力された壁飾りのデザインに基づき、基本パーツ抽出部２２にて基本パーツＰの抽出処理を行う（ステップＳ８）。この抽出処理は、上述したように、基本パーツＰの形状の種類とその個数、それぞれの基本パーツＰ毎の表面カラー、基本パーツＰが相似サイズ「大・中・小」の何れかであるかを抽出する処理である。
【００９１】
続いて、入力された壁飾りのデザインに基づき、取付台座算出部２３にて取付台座Ｂの算出処理を行う（ステップＳ９）。この算出処理は、取付台座Ｂの種類とその個数を算出する処理である。
【００９２】
続いて、受注処理部２４の受注伝票作成部にて、基本パーツ抽出部２２により抽出された基本パーツＰの種類（形状、表面カラー、相似サイズ）とその個数、及び、取付台座算出部２３により算出された取付台座Ｂの種類とその個数を受注したことの受注伝票を作成する処理を行う（ステップＳ１０）。続いて、受注処理部２４の受注通知部にて、基本パーツ抽出部２２により抽出された基本パーツＰの種類（形状、表面カラー、相似サイズ）とその個数、及び、取付台座算出部２３により算出された取付台座Ｂの種類とその個数を受注したことを、ネットワーク３を介して発注者に電子メール等を送信することにより通知する処理を行う（ステップＳ１１）。最後に、発注者は、受注用ホストコンピュータ１から送信された受注通知を発注者端末装置２にて受信する（ステップＳ１２）。
【００９３】
（デザイン作成処理）
次に、デザイン作成処理について図１０〜図１５を参照して詳述する。発注者が、デザイン作成アプリケーションを起動すると、発注者端末装置２の表示部３３には、図１２に示す「メインデザイン入力画面」８１が表示される。そこで、図１０に示すように、発注者は、まずは、メインデザイン方法の入力を行う（ステップＳ２１）。ここで、メインデザイン方法とは、壁飾りのデザインを作成する際に、ひな形Ｍを利用してデザインを作成する方法である「ひな形利用」方法と、ひな形Ｍを利用せずに自ら自由にデザインを作成する方法である「自由デザイン」方法の何れかである。つまり、発注者は、図１２に示すように表示された「自由デザイン」ボタン８２と「ひな形利用」ボタン８３の何れかを例えばマウス等の入力部３１により選択する。ここで、「自由デザイン」ボタン８２が選択された場合には、デザイン作成部３２の基本パーツ表示入力部４１に基本パーツＰの表示指示が入力される。
【００９４】
続いて、選択されたメインデザイン方法が自由デザイン方法であるか否かを判定する（ステップＳ２２）。そして、選択されたメインデザイン方法が「自由デザイン」方法である場合には（ステップＳ２２：Ｙｅｓ）、基本パーツＰが表示部３３に表示される。すなわち、デザイン作成部３２の基本パーツ表示処理部４２が実行される（ステップＳ２３）。この処理により、表示部３３には、図１３に示す「デザイン設計画面」９１が表示される。すなわち、画面上段にある基本パーツ・ひな形表示領域９２には、基本パーツ形状データベース１８に記憶された基本パーツＰの形状が表示される。また、画面下段には、基本パーツＰを配設可能なデザイン設計領域９３がある。さらに、画面下段の右側には、「決定」ボタン９４と「削除」ボタン９５とがあり、壁飾りのデザインを作成する際に用いる。
【００９５】
一方、選択されたメインデザイン方法が「自由デザイン」方法でない場合には（ステップＳ２２：Ｎｏ）、図１４に示す「ひな形デザイン方法入力画面」１０１が表示される。そして、発注者は、ひな形デザイン方法の入力を行う（ステップＳ２４）。ここで、ひな形デザイン方法とは、壁飾りのデザインを作成する際に、アルファベットを用いたデザイン方法である「アルファベットデザイン」方法と、アルファベット以外を含むデザイン方法である「その他」方法の何れかである。つまり、発注者は、図１４に示すように表示された「アルファベットデザイン」ボタン１０２と「その他」ボタン１０３の何れかを例えばマウス等の入力部３１により選択する。ここで、「その他」ボタン１０３が選択された場合には、デザイン作成部３２のひな形表示入力部４３にひな形Ｍの表示指示が入力される。
【００９６】
続いて、選択されたひな形デザイン方法がアルファベットデザイン方法であるか否かを判定する（ステップＳ２５）。そして、選択されたひな形デザイン方法が「アルファベットデザイン」方法でない場合、すなわち「その他」方法である場合には（ステップＳ２５：Ｎｏ）、全てのひな形Ｍが表示部３３に表示される。すなわち、デザイン作成部３２のひな形表示処理部４５が実行される（ステップＳ２８）。この処理により、表示部３３には、図１３に示す「デザイン設計画面」９１が表示される。すなわち、画面上段にある基本パーツ・ひな形表示領域９２には、ひな形データベース１５に記憶された全てのひな形Ｍが表示される。また、画面下段には、ひな形Ｍを配設可能なデザイン設計領域９３がある。さらに、画面下段の右側には、「決定」ボタン９４と「削除」ボタン９５とがあり、壁飾りのデザインを作成する際に用いる。
【００９７】
一方、選択されたひな形デザイン方法が「アルファベットデザイン」方法である場合には（ステップＳ２５：Ｙｅｓ）、図１５に示す「アルファベット入力画面」１１１が表示される。そして、発注者は、図１５に示すアルファベット入力領域１１２にアルファベットの入力を行う（ステップＳ２６）。なお、入力するアルファベットは、一文字であっても、複数文字であってもよい。そして、アルファベットの入力を行った後には、「決定」ボタン１１３を選択する。ここで、「決定」ボタン１１３が選択された場合には、デザイン作成部３２のアルファベット表示入力部４４に該当するアルファベットのひな形Ｍの表示指示が入力される。
【００９８】
続いて、入力されたアルファベットに該当するひな形Ｍが表示部３３に表示される。すなわち、デザイン作成部３２のひな形表示処理部４５が実行される（ステップＳ２７）。この処理により、表示部３３には、図１３に示す「デザイン設計画面」９１が表示される。すなわち、画面上段にある基本パーツ・ひな形表示領域９２には、ひな形データベース１５に記憶されているひな形Ｍのうち入力されたアルファベットに該当するひな形Ｍのみが表示される。また、画面下段には、ひな形Ｍを配設可能なデザイン設計領域９３がある。さらに、画面下段の右側には、「決定」ボタン９４と「削除」ボタン９５とがあり、壁飾りのデザインを作成する際に用いる。
【００９９】
続いて、図１１に示すように、基本パーツ・ひな形の選択を行う（ステップＳ２９）。すなわち、デザイン作成部３２の基本パーツ・ひな形選択部５０に、基本パーツＰ又はひな形Ｍを選択する指示が入力部３１から入力される。具体的には、基本パーツ・ひな形表示領域９２に基本パーツＰが表示されている場合には、表示されている基本パーツＰの何れかを選択することができる。また、基本パーツ・ひな形表示領域９２にひな形Ｍが表示されている場合には、表示されているひな形Ｍの何れかを選択することができる。さらに、デザイン設計領域９３に１以上の基本パーツＰ又はひな形Ｍが配設されている場合には、デザイン設計領域９３内の何れか若しくは全ての基本パーツＰ、又は、デザイン設計領域９３内のひな形Ｍを構成する何れか若しくは全ての基本パーツＰを選択することができる。
【０１００】
続いて、選択した基本パーツＰ又はひな形Ｍをデザイン設計領域９３内に配設する（ステップＳ３０）。すなわち、デザイン作成部３２の基本パーツ・ひな形配設部５１が実行される。また、デザイン設計領域９３内の基本パーツＰが選択されている場合には、デザイン設計領域９３内の他の位置に移動させることもできる。さらに、デザイン設計領域９３内に複数の基本パーツＰが重畳している場合には、その重畳順を変更することができる。つまり、デザイン設計領域９３内の基本パーツＰを選択しておき、重畳順変更部５３を実行させる。なお、基本パーツＰが重畳している場合には、重畳順に応じて表示部３３に表示される色を変更するようにすることもできる。
【０１０１】
続いて、デザイン設計領域９３に作成した壁飾りのデザインの中間確定処理を行うか否かを判定する（ステップＳ３１）。すなわち、図１３に示す「決定」ボタン９４が選択された場合が、壁飾りのデザインが中間確定されたことになる。一方、デザインの中間確定がされない場合には、デザインの作成を継続することになり、ステップＳ２９に戻り処理を繰り返す（ステップＳ３１：Ｎｏ）。
【０１０２】
続いて、デザインの中間確定がされた場合には、デザインの最終確定処理を行うか否かを判定する（ステップＳ３２）。そして、最終確定処理が行われた場合には、デザイン設計領域に作成した壁飾りのデザインの形状が決定される。一方、最終確定処理を行わない場合（ステップＳ３２：Ｎｏ）、ステップＳ２１に戻り処理を繰り返す。すなわち、最初から処理を再開する。
【０１０３】
（サイズ選択処理）
次に、サイズ選択処理について図１６及び図１７を参照して詳述する。図１６に示すように、発注者が、デザイン作成処理を終了すると、この終了処理がサイズ表示の入力となる（ステップＳ４１）。すなわち、デザイン作成部３２のサイズ表示入力部４８にサイズ表示指示が入力される。続いて、デザイン作成部３２のサイズ表示処理部４９の縦横サイズ算出部６１にて、図１３に示すデザイン設計領域９３に作成された壁飾りのデザインの形状の縦横サイズがそれぞれ算出される（ステップＳ４２）。この算出処理においては、基本パーツＰの相似サイズ「大・中・小」に応じた縦横サイズの算出が行われる。
【０１０４】
続いて、発注者端末装置２の表示部３３には、図１７に示す「サイズ選択画面」１２１が表示される（ステップＳ４３）。すなわち、図１６に示すように、画面左側のデザイン設計領域１２２には、デザイン作成処理にて作成された壁飾りのデザインが表示される。そして、画面右側には、相似サイズ「大・中・小」に応じた「縦横サイズ」ボタン１２３が表示される。さらに、画面右側下段には、「決定」ボタン１２４が表示される。
【０１０５】
続いて、表示部３３に表示された「縦横サイズ」ボタン１２３の何れかを選択する（ステップＳ４４）。すなわち、デザイン作成部３２のサイズ選択部５５に選択指示が入力される。続いて、選択された縦横サイズで確定するか否かを判定し、確定であれば処理を終了する（ステップＳ４５）。すなわち、図１７に示す「決定」ボタン１２４が選択された場合に確定処理となる。一方、確定処理を行わない場合には（ステップＳ４５：Ｎｏ）、ステップＳ４４に戻り、再び「縦横サイズ」ボタン１２３の何れかを選択することができる。
【０１０６】
（表面カラー選択処理）
次に、表面カラー選択処理について図１８及び図１９を参照して詳述する。図１８に示すように、発注者が、サイズ選択処理を終了すると、この終了処理が表面カラー表示の入力となる（ステップＳ５１）。すなわち、デザイン作成部３２の表面カラー入力部４６に表面カラー表示指示が入力される。続いて、表面カラーリストが表示部３３に表示される（ステップＳ５２）。すなわち、デザイン作成部３２の表面カラー表示処理部４７が実行される。この処理により、表示部３３には、図１９に示す「表面カラー選択画面」１３１が表示される。すなわち、画面左側のデザイン設計領域１３２には、デザイン作成処理にて作成された壁飾りのデザインが表示される。さらに、このデザイン設計領域１３２には、表面カラーが選択された後には、選択された表面カラーが付された壁飾りのデザインが表示される。また、画面右側には、表面カラーデータベース１９に記憶された全ての種類の「表面カラー」ボタン１３３が表示される。ここでは、表面カラーとして、Ａと、Ｂと、Ｃの３種類としている。さらに、画面右側下段には、「決定」ボタン１３４が表示される。
【０１０７】
続いて、デザイン設計領域１３２に表示されている壁飾りのデザインを構成する基本パーツＰを選択する（ステップＳ５３）。すなわち、デザイン作成部３２の基本パーツ・ひな形選択部５０に、基本パーツＰを選択する指示が入力部３１から入力される。ここで、基本パーツＰの選択は、デザイン設計領域１３２に表示されている壁飾りのデザインを構成する基本パーツＰの全てを選択することもでき、構成する基本パーツＰの一部を選択することもできる。例えば、同一色の表面カラーを付す基本パーツＰを選択する等を行う。
【０１０８】
続いて、表示部３３に表示された「表面カラー」ボタン１３３の何れか一つを選択する（ステップＳ５４）。すなわち、デザイン作成部３２の表面カラー選択部５４に選択指示が入力される。さらに、表面カラー選択部５４により、選択されたデザイン設計領域１３２内の基本パーツＰが選択された表面カラーを付した状態に表示される。
【０１０９】
続いて、デザイン設計領域１３２に作成された壁飾りのデザインを構成する基本パーツＰの全てに対して表面カラーの選択が終了したか否かを判定する（ステップＳ５５）。終了していない場合には、ステップＳ５３に戻り、全ての基本パーツＰに対して表面カラーの選択が終了するまで処理を繰り返す。
【０１１０】
一方、全ての基本パーツＰに対して表面カラーの選択が終了している場合には（ステップＳ５５：Ｙｅｓ）、選択された表面カラーで確定するか否かを判定し、確定であれば処理を終了する（ステップＳ５６）。すなわち、図１９に示す「決定」ボタン１３４が選択された場合に確定処理となる。一方、確定処理を行わない場合には（ステップＳ５６：Ｎｏ）、ステップＳ５３に戻り、処理を繰り返す。
【図面の簡単な説明】
【０１１１】
【図１】壁飾りについて説明する図である。
【図２】基本パーツの形状を示す図である。
【図３】複数の基本パーツを組み合わせて形成される壁飾りの例を示す図である。
【図４】基本パーツＰを壁に取付けた状態図である。
【図５】壁飾り受注システムの全体構成を示す図である。
【図６】デザイン作成部を示す図である。
【図７】サイズ表示処理部を示す図である。
【図８】基本パーツ・ひな形配設部を示す図である。
【図９】壁飾り受注システムのメイン処理を示すフローチャートである。
【図１０】デザイン作成処理を示すフローチャートである。
【図１１】デザイン作成処理を示すフローチャートである。
【図１２】メインデザイン方法の入力画面を示す図である。
【図１３】デザイン設計画面を示す図である。
【図１４】ひな形デザイン方法入力画面を示す図である。
【図１５】アルファベット入力画面を示す図である。
【図１６】サイズ選択処理を示すフローチャートである。
【図１７】サイズ選択画面を示す図である。
【図１８】表面カラー選択処理を示すフローチャートである。
【図１９】表面カラー選択画面を示す図である。
【符号の説明】
【０１１２】
Ｐ：基本パーツ，Ｍ：ひな形，Ｂ：取付台座，１：受注用ホストコンピュータ，２：発注者端末装置，３：ネットワーク，１１：メモリ，１２：ＣＰＵ，１３：インターフェイス，１４：基本パーツデータベース（基本パーツ記憶手段），１５：ひな形データベース（デザインひな形記憶手段），１６：取付台座データベース（取付台座記憶手段），１７：デザイン作成アプリケーション記憶部，１８：基本パーツ形状データベース，１９：表面カラーデータベース，２０：サイズデータベース，２１：デザイン入力部（壁飾りデザイン入力手段），２２：基本パーツ抽出部（基本パーツ抽出手段），２３：取付台座算出部（取付台座算出手段），２４：受注処理部（受注処理手段），３１：入力部，３２：デザイン作成部（デザイン作成手段），３３：表示部，３４：インターフェイス，４１：基本パーツ表示入力部，４２：基本パーツ表示処理部（基本パーツ表示手段），４３：ひな形表示入力部，４４：アルファベット表示入力部（アルファベット入力手段），４５：ひな形表示処理部（デザインひな形表示手段），４６：表面カラー表示入力部，４７：表面カラー表示処理部（表面カラー表示手段），４８：サイズ表示入力部，４９：サイズ表示処理部（サイズ表示手段），５０：基本パーツ・ひな形選択部（基本パーツ選択手段，デザインひな形選択手段，ひな形構成基本パーツ選択手段），５１：基本パーツ・ひな形配設部（基本パーツ配設手段，ひな形構成基本パーツ移設手段），５２：重畳箇所判定部（重畳箇所判定手段），５３：重畳順変更部（重畳箇所変更手段），５４：表面カラー選択部（表面カラー選択手段），５５：サイズ選択部（サイズ選択手段），６１：縦横サイズ算出部，６２：縦横サイズ表示処理部，７１：基本パーツ・ひな形配設処理部，７２：配設不可領域決定部（配設不可領域決定手段），７３：配設拒否処理部（配設拒否処理手段），８１：メインデザイン方法の入力画面，９１：デザイン設計画面，９２：基本パーツ・ひな形表示領域，９３：デザイン設計領域，１０１：ひな形デザイン方法入力画面，１１１：アルファベット入力画面，１１２：アルファベット入力領域，１２１：サイズ選択画面，１３１：表面カラー選択画面
【図１】
2005078447.tif 000003
【図２】
2005078447.tif 000004
【図３】
2005078447.tif 000005
【図４】
2005078447.tif 000006
【図５】
2005078447.tif 000007
【図６】
2005078447.tif 000008
【図７】
2005078447.tif 000009
【図８】
2005078447.tif 000010
【図９】
2005078447.tif 000011
【図１０】
2005078447.tif 000012
【図１１】
2005078447.tif 000013
【図１２】
2005078447.tif 000014
【図１３】
2005078447.tif 000015
【図１４】
2005078447.tif 000016
【図１５】
2005078447.tif 000017
【図１６】
2005078447.tif 000018
【図１７】
2005078447.tif 000019
【図１８】
2005078447.tif 000020
【図１９】
2005078447.tif 000021